(57)【要約】      （修正有）【課題】可撓継手にあって、取り付け片に穴開けせずにとう道に固定でき、更にアンカーボルトからもたらされる漏水対策構造を提供する。【解決手段】隣接するとう道１，２の打継目３を覆う伸縮部５とこの両側にとう道への取り付け片７とを備え、取り付け片を押える押え板１１からなる可撓継手４であって、取り付け片の端部に突条１４を形成し、この突条を巻き込むチャンネル部１６を備えた押え板１１によって取り付け片の外側でとう道にアンカーボルト９にて固定されると共に、アンカーボルトからの漏水を防止する止水機能を付加した。【選択図】図３
2016090003.tif 000002
【特許請求の範囲】
【請求項１】
隣接するとう道の打継目を覆う伸縮部とこの両側に前記とう道への取り付け片とを備えた可撓継手と、前記取り付け片を押える押え板からなる可撓継手であって、当該取り付け片の端部に突条を形成し、前記突条を巻き込むチャンネル部を備えた押え板によって取り付け片の外側でとう道にアンカーボルトにて固定されると共に、アンカーボルトからの漏水を防止する止水機能を付加したことを特徴とする可撓継手。
【請求項２】
取り付け片の端部に形成した突条は、可撓継手に外力が作用しても押え板のチャンネル部より引き抜けない構造とした請求項１記載の可撓継手。
【請求項３】
止水機能を押え板内側に設けた請求項１又は２の可撓継手。
【請求項４】
止水機能が水膨張ゴムの体積膨張を利用した請求項１乃至３いずれか１に記載の可撓継手。
【請求項５】
止水機能がゴムの圧縮を利用した請求項１乃至４いずれか１に記載の可撓継手。
【請求項６】
止水機能がゴムの圧縮と水膨張ゴムの体積膨張を組み合わせた請求項１乃至４いずれか１に記載の可撓継手。
【請求項７】
漏水の水道となるアンカーボルトのネジ山に水膨張ゴムを対向配置させた請求項１乃至６いずれか１に記載の可撓継手。
【請求項８】
水膨張ゴムの周囲をキャップにて拘束する請求項１乃至７いずれか１に記載の可撓継手。
【請求項９】
水膨張ゴムが水に接した際、アンカーボルトのネジ山内に当該水膨張ゴムが充填される請求項１乃至８いずれか１に記載の可撓継手。
【発明の詳細な説明】
【技術分野】
【０００１】
本発明は、防水・止水機能や耐震補強を主目的として、とう道（トンネル）等のコンクリートの打継目に取り付ける可撓継手に関するものである。
【背景技術】
【０００２】
コンクリート製のとう道(トンネル)では、コンクリートの打継目或いは構造物と隣接する構造継目部分に不等沈下や地震時の変位を吸収し止水する目的で、ゴム製や合成樹脂製の可撓継手がとう道新設時或いは漏水防止や耐震補強のために後付けされている。
【０００３】
以下、本発明及び背景技術をとう道の打継目に後付けで可撓継手を取り付ける場合をもって説明する。かかる目的をもって従来より使用されている可撓継手は、特許文献１或いは２に示すように伸縮機能を持たせた中央部と、これより左右に伸びる取り付け片を備えたものが一般的であり、既設のとう道の打継目に沿って中央部を延設し左右の取り付け片を隣接するとう道に固定するもので、隣接するとう道がもたらす相互の変位の吸収や防水・止水機能を中央部の伸縮部にて機能しようとするものである。
【０００４】
図１はこの従来の可撓継手の代表例を示す断面図であり、符号１、２は隣接するとう道であり、３は打継目である。４はゴム製の可撓継手であり、この例では中央部５が二つの山をなす伸縮部を備え、この左右に取り付け片６、７を備えたもので、比較的短尺の単位体を加硫して紙面の表裏に伸びる長尺体とされるものである。この内部には通常は芯体として一又は複数層の補強帆布が埋設されている。
【０００５】
そして、この可撓継手の取り付けは、隣接するとう道１、２にアンカーボルト穴８を削孔し、ここにアンカーボルト９を埋め込んで固定（ケミカルボンド等にて）し、取り付け片６、７に開けられたアンカーボルト挿通穴１０にアンカーボルト９を通し、更に押え板１１をもって取り付け片６，７を押えつつナット１２締めするもので、とう道の打継目全周を覆う構造となっている。
【０００６】
しかしながら、かかる従来の可撓継手及びこれを用いた取り付け施工法にあっては、多くの問題点があり、改善されなければならないことも事実である。以下に改善が必要な具体例を示す。
【０００７】
可撓継手と押え板の問題点
可撓継手をとう道ヘの取付けのために、工場にて製作したかかる可撓継手の取り付け片にアンカーボルト挿通穴を穴開けする必要があるが、このアンカーボルト挿通穴のピッチは、コンクリート内に埋め込んだアンカーボルトのピッチに完全に合わせる必要があり、実際に埋め込まれたアンカーボルトのピッチを実測し、これを可撓継手製作工場（穴開け工程）にフィードバックする必要がある。同様に、押え板のボルト穴も押え板製作工場（穴開け工程）にフィードバックし穴開けする必要がある。
【０００８】
これは、とう道内の鉄筋を避けながらアンカーボルトのための削孔をする必要があるので、必然的にボルトピッチのバラツキや中心線からのズレ等があり、現場での実測値を可撓継手や押え板の穴開けに反映させる必要があるためである。このように、可撓継手や押え板の製造には、現地の計測工数と製造リードタイムが必要であった。
【０００９】
施工上の問題点
押え板の防水・止水性の点で言えば、とう道に対する可撓継手の取り付け片の接面圧はボルトの締め付け力と押え板の幅に左右され、断面係数を確保するためには比較的幅が広く厚さのある押え板を使用しなければならない。このため、押え板の重量が大きくなり、とう道内の施工性が悪いという指摘がある。また、押え板の幅が広くなることで、接面圧が下がり作用水圧に対する安全率は下がる点も問題となる場合がある。
【００１０】
防水・止水上の問題点
上記したように可撓継手の取り付け片６、７にアンカーボルト挿通穴１０を開けることとなるが、このため地震等の外力によってコンクリート１、２内にクラックＣが発生するとこのクラックＣが次第に成長し埋め込まれたアンカーボルト９に到達することとなる。この状態になると、水はアンカーボルト９を伝わり、取りつけ片６、７に開けられたアンカーボルト挿通穴１０を通って漏水が始まり、止水機能は保てなくなってしまう。
【００１１】
以上の欠点を改善するため、本発明者は特許文献３にて新たな可撓継手を提案している。図２にかかる可撓継手の断面を示すが、従来の可撓継手とは異なり、取り付け片６、７に突条１３、１４を形成し、押え板１１によって取り付け片６、７の外側でとう道１、２にアンカーボルト９にて固定されると共に、この突条１３、１４を巻き込むチャンネル部１５を備えた構造となっている。従って、この取り付け片６、７に形成した突条１４は押え板１１のチャンネル部１５内より引き抜けない構造となっている。なお、符号２４はゴム小突起であり、チャンネル部１５より押圧を受けた際にこれが潰れ、コンクリート１、２面への密着を確実にするためのものである。
【００１２】
特許文献３にて提案した可撓継手は従来の技術の上記した課題を解決するものであり、主たる狙いは、可撓継手の取り付け片に穴開けしない構造とし、とう道に取り付ける際のピッチ合わせを不要としたものである。
【先行技術文献】
【特許文献】
【００１３】
【特許文献１】特開２０００−３２０７５８号公報
【特許文献２】特開２００２−３８５０３号公報
【特許文献３】特願２０１３−２４２２７０号
【発明の概要】
【発明が解決しようとする課題】
【００１４】
しかるに、上記の新提案の可撓継手にあっても、更なる止水機能を要求される場合があり、これはアンカーボルトがコンクリート内に埋設されることから、クラックが発生しこれがアンカーボルトに達した際にはこれを伝って漏水が発生することとなってしまう。
本発明はかかる新提案の可撓継手にあって取り付け片に穴開けせずにとう道に固定でき、更にアンカーボルトからもたらされる漏水対策をも講じたものである。
【課題を解決するための手段】
【００１５】
本発明の可撓継手は以上の課題を達成するためになされたものであって、隣接するとう道の打継目を覆う伸縮部とこの両側に前記とう道への取り付け片とを備えた可撓継手と、前記取り付け片を押える押え板からなる可撓継手であって、当該取り付け片の端部に突条を形成し、前記突条を巻き込むチャンネル部を備えた押え板によって取り付け片の外側でとう道にアンカーボルトにて固定されると共に、アンカーボルトからの漏水を防止する止水機能を付加したことを特徴とする。勿論、取り付け片の端部に形成した突条は、可撓継手に外力が作用しても押え板のチャンネル部より引き抜けない構造としたものである。
【００１６】
止水機能について言えば、押え板内側に設けたものであり、止水機能が水膨張ゴムの体積膨張を利用したもの、ゴムの圧縮を利用したもの、更にはこの両方を利用したものがある。
【００１７】
更に言えば、漏水の水道となるアンカーボルトのネジ山に水膨張ゴムを対向配置させた構造であり、好ましくはこの水膨張ゴムの周囲をキャップにて拘束する構造とし、水膨張ゴムが水に接した際、アンカーボルトのネジ山内に当該水膨張ゴムが充填される構造としたものである。
【発明の効果】
【００１８】
本発明の可撓継手は以上の構成をしたものであり、漏水が生じた際にあっては、クラックへの樹脂の注入等の漏水箇所の補修をすることなく対処可能となったもので、漏水と思われる個所の押え金具を取り外し、漏水部分のアンカーボルトに止水機構を取り付けるだけで止水することができ、このため大掛かりな補修工事を必要としないという効果が発揮される。
【図面の簡単な説明】
【００１９】
【図１】図１は従来の可撓継手を示す断面図である。
【図２】図２は本発明者が既に提案している可撓継手を示す断面図である。
【図３】図３は本発明の可撓継手を示す半裁部分断面図である。
【図４】図４は図３に示す本発明の可撓継手を構成する各部品の半裁断面図である。
【発明を実施するための形態】
【００２０】
本発明の可撓継手の最大の特徴は、取り付け片にボルト穴を形成しない構造としたこと、及び可撓継手と押え板間に自封機能(セルフシール機能)を持たせたこと、更には止水機能を好ましくは止水機能を押え板内側に設けたものであり、これにより多くの優れた特徴を発揮できることとなったものである。
【００２１】
使用する可撓継手は通常はゴム製であり、とう道の打継目の全長に渡って設置されるもので、一体の長尺体に、或いは複数に分割されたものを加硫接着して長尺体とするものである。そして、通常はとう道の打継目の全長を覆う伸縮部を中央に備えるものである。この伸縮部は一つ或いは複数の山形の可撓部にて構成され、とう道の打継目の変位や漏水をここで吸収し阻止することとなる。この左右両側には左右にとう道面に沿う取り付け片が備えられる。これらの伸縮部及び左右の取り付け片内には、全面に一又は複数層の補強帆布が埋設されるものである。
【００２２】
本発明の可撓継手の特徴は、かかる取り付け片の左右端部にその長手方向に一条の突条を形成するものであり、これが後述する押え板のチャンネル部に巻き込まれることによって、外圧が作用した際に自封作用(セルフシール)を発揮することとなる。なお、この突条内にはゴム硬度６０〜９０度のフィラーゴム(硬質ゴム)を内包させ、前記した補強帆布にてこれを挟んだり、巻き込んだり、折り返えしたりした状態で加硫成型することにより自封作用が確実に行われることとなる。この突条はとう道に対して内側に突出する構成とされるのが一般的である。
【００２３】
これに対し、前記取り付け片を押える押え板が用いられる。この押え板は、前記取り付け片の外側で、即ち取り付け片に影響のない部位でとう道にアンカーボルトにて固定されると共に、取り付け片に形成した突条を巻き込む形のチャンネル部を備えたものである。
【００２４】
この両者は、とう道に対して配置された際、取り付け片に形成した突条を巻き込む形でチャンネル部を配置するものであり、とう道の変形、歪、ずれなどが生じた際には打継目の全長を覆う伸縮部が引っ張られる動きをするが、この動きが生じた際には、取り付け片も引っ張られ、これによってその端部に備えた突条がチャンネル部により緊密に接触することとなる。このように、可撓継手に外力が作用しても押え板のチャンネル部より引き抜けない構造としたことにより、両者の間でくさび形状が構成され、ここに自封作用(セルフシール)が発揮されることとなる。
【００２５】
本発明の可撓継手にあって、取り付け片にアンカーボルト用の穴を開けずに押え板を配置したものであり、その内部に止水機構を設けることができたものである。止水機構の好ましい形態としては、押え板の内側にあって、水膨張ゴムを金属等のキャップ（容器）内部に拘束し、これをアンカーボルトの周囲を囲んで配置するものである。そして、予めかかる水膨張ゴムを若干圧縮して取り付ければ初期止水ができることともなる。即ち、水膨張ゴムが膨張し始めてから止水し、機能を発揮するまでに若干の時間を要するため、それまでの漏水に対応できることとなる。
【００２６】
本発明の止水機能は、上記したように好ましくは水膨張ゴムの体積膨張を利用し、水道となるアンカーボルトのネジ山部にゴムを充填させて止水するものであり、特に水膨張ゴムがキャップで拘束されていれば、水膨張ゴムの膨張圧が増加し、作用水圧を上回り止水可能となる。尚、水膨張ゴムとしては通常は天然ゴムや合成ゴムに高吸水性樹脂を配合したものが採用され、例えば、体積膨張率は２０％以上、好ましくは５０〜１５０％程度のものが用いられる。
【実施例１】
【００２７】
図３は、本発明の可撓継手の好ましい例を示す半裁部分断面図であり、紙面の表裏に向かって長尺体である。図にあって、１、２は隣接するとう道であり、３は打継目である。４は本発明のゴム製の可撓継手であり、この例では中央部に三つの半円状の伸縮部５を備え、この伸縮部５は打継目の全長を覆う構造となっている。そして、この左右に取り付け片６、７を備えたもので、その端部に外向きの突条１３、１４を形成したものである。具体的に例を示せば、可撓継手の厚さは５ｍｍ、中央部の内径は４５ｍｍ、全幅は１４８ｍｍ、突条１３、１４は１５ｍｍ程度の略方形をなしている。
【００２８】
両側のとう道１、２への設置は押え板１１をもって行い、この例では、押え板１１は外側に支持脚１５を備え、内側に前記突条１３、１４を巻き込む前記突条１３、１４と略々同形状内面のチャンネル部１６とされている。この支持脚１５はナット締めの際にゴム製である取り付け片６、７に対する過圧縮防止機能を発揮する。そして、取り付け片６、７の外側に位置する部分にボルト挿通穴１０を穿孔し、アンカーボルト９を通してナット１２を締める構造である。このアンカーボルト９は、予めとう道１、２へアンカーボルト穴８を削孔し、ここにアンカーボルト９を埋め込んで固定しておくものである。
【００２９】
可撓継手４にはその内部に一又は複数層の補強帆布が埋設され、突条１３、１４内にゴム硬度６０〜９０度のフィラーゴムを内包させるのが一般的でありここでは特に図示はしないが、チャンネル部との間の封止作用を完全に発揮させることができることになる。即ち、この状態で可撓継手４に外圧が加わった場合、この例で可撓継手４が左側に強く引っ張られた場合、取り付け片６に形成した突条１４と押え板１１に形成したチャンネル部１６とが緊密に接触し、ここに自封作用を生じることとなる。
【００３０】
本発明の可撓継手４の最大の特徴は押え板１１の内側に止水機能を付加させたものであり、特にアンカーボルト９を囲んで止水材（止水機能材）１７を配置したものである。かかる止水材１７は水膨張ゴムを用いるのが通例であって、図４の半裁断面図に示すように、止水材１７は環状の水膨張ゴム１８とこの周囲を取り囲む環状で金属製の押えキャップ１９からなり、止水材１７をアンカーボルト９に差込み、その上より押えナット２０を螺着して止水材１７をアンカーボルト９の周囲に固定した構造である。
【００３１】
コンクリート１に生じたクラックＣが成長してアンカーボルト９に達した場合、従来の可撓継手であれば直ちに漏水の発生に繋がるところ、本発明の可撓継手４にあっては最初に水膨張ゴム１８に接触し、これが押えキャップ１９内で膨張し、アンカーボルト９のネジ山内が膨張したゴム１８にて充填されることになる。この例ではアンカーボルト９のネジ山内を埋めるために必要な水膨張ゴム１８の体積膨張率は２０％程度であり、実際に使用できる水膨張ゴム１８の体積膨張率は５０〜１５０％程度である。
【００３２】
このように、水膨張ゴムの体積膨張を利用し、水道となるアンカーボルトのネジ山部にゴムを緊密に充填させて止水するものであり、特に水膨張ゴムがキャップで拘束されていれば、水膨張ゴムの膨張圧が増加し、作用水圧を上回り止水可能となる。
【産業上の利用可能性】
【００３３】
本発明は以上の構成を採用したことにより、可撓継手に穴開けが不要となり、生産性効率化が実現できたもので、可撓継手の取り付け片の突条と押え板のチャンネル部は、外圧が作用した際に自封作用をもたらす構造となっていることから、施工の効率化が実現できたものであると共に、特徴的には、アンカーボルトからの漏水現象に対して水膨張ゴムを適用したことにより、止水機能を万全なものとしたものであり、その利用価値はきわめて高い。
【符号の説明】
【００３４】
１、２  隣接するとう道
３  打継目
４  可撓継手
５  伸縮部
６、７  取り付け片
８  アンカーボルト穴
９  アンカーボルト
１０  ボルト挿通穴
１１  押え板
１２  ナット
１３、１４  突条
１５  支持脚
１６  チャンネル部
１７  止水材
１８  水膨張ゴム
１９  押えキャップ
２０  押えナット
２４  小突起
Ｃ  クラック
【図１】
2016090003.tif 000003
【図２】
2016090003.tif 000004
【図３】
2016090003.tif 000005
【図４】
2016090003.tif 000006